【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
減圧療法を行うための手動作動式ポンプにおいて、
閉鎖端部を有するチャージ室と；
調整室と；
前記チャージ室と前記調整室との間のレギュレータ通路と；
前記レギュレータ通路を通した流体連通を制御するように適合されたバルブ本体と；
前記バルブ本体と係合して、前記バルブ本体を、前記調整室内の圧力と周囲圧力との間の差圧に抗して付勢するレギュレータバネと；
前記調整室に結合された出口ポートと；
前記チャージ室に結合されて、前記チャージ室の前記閉鎖端部を通る流体の流れを可能にするバルブ組立体と
を含むことを特徴とする、手動作動式ポンプ。
【請求項２】
請求項１に記載の手動作動式ポンプにおいて、前記バルブ組立体が、前記チャージ室内の圧力を下回る供給圧力に応答して、前記チャージ室から前記バルブ組立体を通る流体の流れを可能にすることを特徴とする、手動作動式ポンプ。
【請求項３】
請求項２に記載の手動作動式ポンプにおいて、前記供給圧力が、約−１２５ｍｍ  Ｈｇ〜約−６００ｍｍ  Ｈｇの範囲であることを特徴とする、手動作動式ポンプ。
【請求項４】
請求項２に記載の手動作動式ポンプにおいて、前記供給圧力が約−１２５ｍｍ  Ｈｇであることを特徴とする、手動作動式ポンプ。
【請求項５】
請求項２に記載の手動作動式ポンプにおいて、前記供給圧力が約−６００ｍｍ  Ｈｇであることを特徴とする、手動作動式ポンプ。
【請求項６】
請求項１乃至５の何れか１項に記載の手動作動式減圧ポンプにおいて、前記バルブ組立体がダックビルバルブを含むことを特徴とする、手動作動式減圧ポンプ。
【請求項７】
請求項１乃至５の何れか１項に記載の手動作動式減圧ポンプにおいて、前記バルブ組立体がバタフライバルブを含むことを特徴とする、手動作動式減圧ポンプ。
【請求項８】
請求項１乃至５の何れか１項に記載の手動作動式減圧ポンプにおいて、前記バルブ組立体がアンブレラバルブを含むことを特徴とする、手動作動式減圧ポンプ。
【請求項９】
請求項１乃至５の何れか１項に記載の手動作動式減圧ポンプにおいて、前記バルブ組立体が吹出しボールバルブを含むことを特徴とする、手動作動式減圧ポンプ。
【請求項１０】
請求項１乃至５の何れか１項に記載の手動作動式ポンプにおいて、前記閉鎖端部がアパーチャを有し、および前記バルブ組立体が：
前記アパーチャ内に配置されかつ室フランジおよびバレルフランジを有するバルブアダプタであって、前記室フランジは前記チャージ室内に配置され、および前記バレルフランジは、前記閉鎖端部に隣接して前記チャージ室の外部に配置される、バルブアダプタと；
前記バルブアダプに結合されかつニップルを有する高圧アダプタと；
コネクタおよび平坦な端部を有するバルブであって、前記コネクタは前記高圧アダプタの前記ニップルに結合されている、バルブと
を含み；および
前記平坦な端部は、前記チャージ室からの流体の流れを可能にするように構成されたスリットを有することを特徴とする、手動作動式ポンプ。
【請求項１１】
請求項１乃至１０の何れか１項に記載の手動作動式ポンプにおいて、前記バルブ組立体が、外部減圧源に流体的に結合されるように適合されていることを特徴とする、手動作動式ポンプ。
【請求項１２】
減圧治療装置において：
閉鎖端部を有するピストン室と；
前記ピストン室内に配置されかつ伸長位置と圧縮位置との間で可動であるピストンと；
前記ピストンと前記閉鎖端部との間に配置されたチャージ室と；
前記ピストンを前記伸長位置の方へ付勢するように適合された付勢部材と；
前記ピストンが前記圧縮位置の方へ動くときに、流体が前記チャージ室を出ることを可能にし、かつ前記ピストンが前記伸長位置の方へ動くときに、流体が前記チャージ室に入らないようにするように適合されたバルブ部材と；
調整室と；
前記調整室と前記チャージ室との間の通路と；
前記チャージ室と前記調整室との間の前記通路を通した流体連通を調整するレギュレータ部材と；
前記チャージ室に結合され、前記チャージ室の前記閉鎖端部を通る流体の流れを可能にするバルブ組立体と
を含むことを特徴とする、減圧治療装置。
【請求項１３】
請求項１２に記載の減圧治療装置において、前記バルブ組立体が、前記チャージ室内の前記圧力を下回る供給圧力に応答して、前記チャージ室から前記バルブ組立体を通る流体の流れを可能にすることを特徴とする、減圧治療装置。
【請求項１４】
請求項１３に記載の減圧治療装置において、前記供給圧力が、約−１２５ｍｍ  Ｈｇ〜約−６００ｍｍ  Ｈｇの範囲にあることを特徴とする、減圧治療装置。
【請求項１５】
請求項１３に記載の減圧治療装置において、前記供給圧力が約−１２５ｍｍ  Ｈｇであることを特徴とする、減圧治療装置。
【請求項１６】
請求項１３に記載の減圧治療装置において、前記供給圧力が約−６００ｍｍ  Ｈｇであることを特徴とする、減圧治療装置。
【請求項１７】
請求項１２乃至１６の何れか１項に記載の減圧治療装置において、前記バルブ組立体がダックビルバルブを含むことを特徴とする、減圧治療装置。
【請求項１８】
請求項１２乃至１６の何れか１項に記載の減圧治療装置において、前記バルブ組立体がバタフライバルブを含むことを特徴とする、減圧治療装置。
【請求項１９】
請求項１２乃至１６の何れか１項に記載の減圧治療装置において、前記バルブ組立体がアンブレラバルブを含むことを特徴とする、減圧治療装置。
【請求項２０】
請求項１２乃至１６の何れか１項に記載の減圧治療装置において、前記バルブ組立体が吹出しボールバルブを含むことを特徴とする、減圧治療装置。
【請求項２１】
請求項１２乃至１６の何れか１項に記載の減圧治療装置において、前記閉鎖端部がアパーチャを有し、および前記バルブ組立体が：
前記アパーチャ内に配置されかつ室フランジおよびバレルフランジを有するバルブアダプタであって、前記室フランジは前記チャージ室内に配置され、および前記バレルフランジは、前記閉鎖端部に隣接して前記チャージ室の外部に配置される、バルブアダプタと；
前記バルブアダプに結合されかつニップルを有する高圧アダプタと；
コネクタおよび平坦な端部を有するバルブであって、前記コネクタは前記高圧アダプタの前記ニップルに結合される、バルブと
を含み、および
前記平坦な端部は、前記チャージ室からの流体の流れを可能にするように構成されたスリットを有することを特徴とする、減圧治療装置。
【請求項２２】
請求項１２乃至２１の何れか１項に記載の手動作動式ポンプにおいて、前記バルブ組立体が、外部減圧源に流体的に結合されるように適合されていることを特徴とする、手動作動式ポンプ。
【請求項２３】
減圧治療システムにおいて：
組織部位に位置決めされるように適合されたマニホールドと；
前記マニホールドと流体連通しておりかつ前記組織部位に所望の治療圧を送達するように適合された調整室と；
閉鎖端部を有しかつ前記所望の治療圧を下回るチャージ圧力を蓄えるように適合されたチャージ室と；
前記調整室と前記チャージ室との間に流体連通をもたらすように適合された通路と；
前記通路に動作可能に関連付けられたバルブ本体であって、前記調整室内の圧力が前記所望の治療圧以下である場合、前記通路を通した流体連通を実質的に低減させ、および前記調整室内の前記圧力が前記所望の治療圧を超える場合、前記通路を通した流体連通を可能にする、バルブ本体と；
前記チャージ室の前記閉鎖端部に結合されかつ外部減圧源に流体的に結合されて、前記チャージ室内の前記圧力を下回る前記外部減圧源によってもたらされた供給圧力に応答して、前記チャージ室からの流体の流れを可能にするように適合されたバルブ組立体と
を含むことを特徴とする、減圧治療システム。
【請求項２４】
請求項２３に記載のシステムにおいて、前記供給圧力が、約−１２５ｍｍ  Ｈｇ〜約−６００ｍｍ  Ｈｇの範囲にあることを特徴とする、システム。
【請求項２５】
請求項２３に記載のシステムにおいて、前記供給圧力が約−１２５ｍｍ  Ｈｇであることを特徴とする、システム。
【請求項２６】
請求項２３に記載のシステムにおいて、前記供給圧力が約−６００ｍｍ  Ｈｇであることを特徴とする、システム。
【請求項２７】
請求項２３乃至２６の何れか１項に記載のシステムにおいて、前記バルブ組立体がダックビルバルブを含むことを特徴とする、システム。
【請求項２８】
請求項２３乃至２６の何れか１項に記載のシステムにおいて、前記バルブ組立体がバタフライバルブを含むことを特徴とする、システム。
【請求項２９】
請求項２３乃至２６の何れか１項に記載のシステムにおいて、前記バルブ組立体がアンブレラバルブを含むことを特徴とする、システム。
【請求項３０】
請求項２３乃至２６の何れか１項に記載のシステムにおいて、前記バルブ組立体が吹出しボールバルブを含むことを特徴とする、システム。
【請求項３１】
請求項２３乃至２６の何れか１項に記載のシステムにおいて、前記閉鎖端部がアパーチャを有し、および前記バルブ組立体が：
前記アパーチャ内に配置されかつ室フランジおよびバレルフランジを有するバルブアダプタであって、前記室フランジは前記チャージ室内に配置され、および前記バレルフランジは、前記閉鎖端部に隣接して前記チャージ室の外部に配置される、バルブアダプタと；
前記バルブアダプに結合されかつニップルを有する高圧アダプタと；
コネクタおよび平坦な端部を有するバルブであって、前記コネクタは、前記高圧アダプタの前記ニップルに結合されている、バルブと
を含み、および
前記平坦な端部は、前記チャージ室からの流体の流れを可能にするように構成されたスリットを有することを特徴とする、システム。
【請求項３２】
請求項２３に記載のシステムにおいて、前記外部減圧源が壁面吸い込み源であることを特徴とする、システム。
【請求項３３】
請求項２３に記載のシステムにおいて、前記外部減圧源が電動ポンプであることを特徴とする、システム。